(57)【特許請求の範囲】
【請求項１】
操作ハンドルが連結されるハンドルベースと、
ハンドルベースに着脱可能に連結され、装着状態においてハンドルベースのドアパネルへの連結部を隠すカバー体とを有し、
前記ハンドルベースと装着位置のカバー体との間には、適宜の揺動中心周りの揺動スペースが設けられるとともに、
カバー体は、側縁部に形成される係止部とハンドルベースの被係止部との弾性的な係止により揺動が規制されて装着位置に保持され、
かつ、係止部と被係止部との間には、カバー体への揺動操作力の付与によりいずれか一方に係止解除方向の分力を発生させる斜面部が形成され、
カバー体は、一端縁部への押し込み操作により係止部の係止を解除して装着姿勢からの離脱が可能な車両のドアインサイドハンドル装置。
【請求項２】
前記カバー体は、前記操作ハンドルを収容する適宜深さの枠部を備えるハンドルベースの底壁部に装着される請求項１記載の車両のドアインサイドハンドル装置。
【請求項３】
前記カバー体は、一側縁がハンドルベースに当接して一方の揺動終端が決定されるとともに、他側縁に形成された係止部により当接離脱方向の揺動が規制されて装着位置に保持される請求項１または２記載の車両のドアインサイドハンドル装置。
【請求項４】
前記係止部は、カバー体の裏面方向に突設される請求項１、２または３記載の車両のドアインサイドハンドル装置。
【請求項５】
前記操作ハンドルは前記カバー体の側縁に沿って配置されるとともに、
装着姿勢からの離脱操作時におけるカバー体の押し込み操作側辺縁が初期回転位置における操作ハンドルにより覆われる位置に配置される請求項４記載の車両のドアインサイドハンドル装置。
【請求項６】
ハンドルベースに連結される操作ハンドルを備えたドアインサイドハンドル装置のドア体への装着部におけるハンドルベース、あるいはドアトリム等の内装面形成部材に開設された前記ハンドルベースへの連結部を内装面形成部材に装着されるカバー体により覆い隠したドアインサイドハンドル装置の固定構造であって、
前記内装面形成部材と装着位置のカバー体との間には、適宜の揺動中心周りの揺動スペースが設けられるとともに、
カバー体は、側縁部に形成される係止部と内装面形成部材の被係止部との弾性的な係止により揺動が規制されて装着位置に保持され、
かつ、係止部と被係止部との間には、カバー体への揺動操作力の付与によりいずれか一方に係止解除方向の分力を発生させる斜面部が形成され、
カバー体は、一端縁部への押し込み操作により係止部の係止を解除して装着姿勢からの離脱が可能なドアインサイドハンドル装置の固定構造。
【発明の詳細な説明】
【技術分野】
【０００１】
本発明は車両のドアインサイドハンドル装置に関するものである。
【背景技術】
【０００２】
車両のインナーパネルへの固定部をカバー体により覆って外部への露出を防止した車両のドアインサイドハンドルとしては、特許文献１に記載のものが知られている。
【０００３】
この従来例においてドアインサイドハンドルは、操作ハンドルを軸支したハンドルベースと、ハンドルベースに連結され、ハンドルベースのドアパネルへの固定部を覆うカバー体とを有して形成される。ハンドルベースへのカバー体の装着は、一側縁に形成される解除操作用係止脚をハンドルベースに弾発係止して行われ、脱離操作は、ハンドルベースの壁面とカバー体の表面に現れる隙間から工具等を挿入して解除操作用係止脚の係止を解除して行われる。
【先行技術文献】
【特許文献】
【０００４】
【特許文献１】特許第４０８４２３１号公報
【発明の概要】
【発明が解決しようとする課題】
【０００５】
しかし、上述した従来例において、カバー体の脱離は工具等の要するために、作業性が悪いという問題がある。
【０００６】
本発明は、以上の欠点を解消すべくなされたものであって、カバー体の脱離操作性を良好にした車両のドアインサイドハンドル装置の提供を目的とする。
【０００７】
また、本発明の他の目的は、カバー体の脱離操作性を良好にしたドアインサイドハンドル装置の固定構造の提供にある。
【課題を解決するための手段】
【０００８】
ドアインサイドハンドル装置は、操作ハンドル１を支持するハンドルベース２と、ハンドルベース２に対して着脱自在に装着されてハンドルベース２のドアパネルへの固定部を覆うカバー体３とを有する。カバー体３とハンドルベース２との間には、カバー体３の装着位置において揺動スペース８が設定されおり、側縁部に形成される係止部４とハンドルベース２の被係止部５とを、いずれか一方、あるいは双方の弾性変形を伴って相互に係止させることによって揺動動作が禁止され、装着状態を維持する。
【０００９】
係止部４と被係止部５との間には、カバー体３への揺動操作力の付与により係止部４、または被係止部５に係止解除方向の分力を発生させる斜面部６が形成されており、カバー体３の一側縁部にハンドルベース２内方への押し込み力を与えることにより、係止部４、あるいは被係止部５に係止解除方向の分力が発生する。
【００１０】
したがってこの発明において、斜面部６による分力の大きさと、係止部４、および被係止部５における係止力を適宜に設定すると、カバー体３の側縁部に押し込み操作力を与えるだけでカバー体３を脱離させることが可能になるために、特別の工具等が不要になり、脱離操作性が向上する。
【００１１】
カバー体３は、装着状態においてハンドルベース２を概ね全体にわたって覆い、インサイドハンドル装置の意匠的外形を決定するエスカッションとして形成したり、あるいは、操作ハンドル１を収容する枠部７を意匠的外形面として備えるハンドルベース２の底壁部に装着されて固定部近傍のみを覆うように構成することもできる。
【００１２】
カバー体３の装着姿勢における揺動中心は、カバー体３、あるいはハンドルベース２に形成された突条のように、揺動中心を形成するために特別に設定された部分によるものに加え、特別な部分を形成することなく、接触状態等から結果的に構成されるものであってもよい。
【００１３】
係止部４は、揺動中心軸に沿う辺縁部のほか、揺動中心軸に交差する辺縁部に設けることも可能であり、さらに、揺動の規制は、係止部４と被係止部５との係止のみにより行われるものであっても、側縁部をハンドルベース２との当接縁として一方の揺動終端が決定されたものであってもよい。
【００１４】
また、係止部４をカバー体３の裏面方向に突設して配置すると、係止部４と被係止部５との係止部位が表面に現れることがないために、見栄えが向上する。
【００１５】
さらに、装着姿勢からの離脱操作時におけるカバー体３の押し込み操作側辺縁を、初期回転位置における操作ハンドル１により覆われる位置に配置すると、押し込み操作辺縁を過って押し込んでカバー体３が脱離する機会を減少させることができる。
【００１６】
また、カバー体３はハンドルベース２に加え、ドアトリム２１等、操作ハンドル１の装着位置におけるドア体の内装、すなわち、外観意匠面を形成するために使用される内装面形成部材２０に装着することが可能であり、この場合、
ハンドルベース２に連結される操作ハンドル１を備えたドアインサイドハンドル装置のドア体への装着部におけるハンドルベース２、あるいはドアトリム２１等の内装面形成部材２０に開設された前記ハンドルベース２への連結部を内装面形成部材２０に装着されるカバー体３により覆い隠したドアインサイドハンドル装置の固定構造であって、
前記内装面形成部材２０と装着位置のカバー体３との間には、適宜の揺動中心周りの揺動スペース８が設けられるとともに、
カバー体３は、側縁部に形成される係止部４と内装面形成部材２０の被係止部５との弾性的な係止により揺動が規制されて装着位置に保持され、
かつ、係止部４と被係止部５との間には、カバー体３への揺動操作力の付与によりいずれか一方に係止解除方向の分力を発生させる斜面部６が形成され、
カバー体３は、一端縁部への押し込み操作により係止部４の係止を解除して装着姿勢からの離脱が可能なドアインサイドハンドル装置の固定構造が構成される。
【発明の効果】
【００１７】
本発明によれば、カバー体の脱離操作に工具等を要しないために、脱離操作性を良好にすることができる。
【図面の簡単な説明】
【００１８】
【図１】インサイドハンドル装置を示す正面図である。
【図２】図１の断面図で、（ａ）は２Ａ-２Ａ線断面図、（ｂ）は２Ｂ-２Ｂ線断面図である。
【図３】カバー体の装着状態を示す正面図である。
【図４】カバー体を示す図で、（ａ）は裏面図、（ｂ）は（ａ）の４Ｂ方向矢視図、（ｃ）は（ａ）の４Ｃ-４Ｃ線断面図である。
【図５】図３の５Ａ-５Ａ線断面図で、（ａ）は装着操作を示す図、（ｂ）は装着完了状態を示す図、（ｃ）はカバー体の側縁を押し下げた状態を示す図、（ｄ）はカバー体の係止を解除した状態を示す図である。
【図６】ドアトリムにカバー体を装着したインサイドハンドル装置の固定構造を示す図で、（ａ）は図２（ａ）に対応する図、（ｂ）は図５（ｂ）に対応する図である。
【発明を実施するための形態】
【００１９】
図１以下に示すように、インサイドハンドル装置は、ハンドルベース２に操作ハンドル１とロックレバー９とを連結して形成される。操作ハンドル１は、ハンドル回転中心軸（Ｃ１）周りに図２（ａ）において実線で示す初期回転位置と鎖線で示す操作回転位置との間で回転可能であり、ケーブル装置１０を介してロック装置１１に連結される。
【００２０】
上記ケーブル装置１０は、ハンドルベース２に一端が連結されるアウターケース１０ａ内にインナーケーブル１０ｂを摺動自在に挿通させて形成され、操作ハンドル１を操作回転位置まで回転操作すると、操作力が操作ハンドル１に連結されたインナーケーブル１０ｂを介してロック装置１１に伝達され、ロック状態が解除される。
【００２１】
また、ロックレバー９は、図２（ｂ）に示すように、レバー回転中心軸（Ｃ２）周りに回転操作可能であり、図示のロック回転位置から所定角度時計回りに回転操作すると、該ロックレバー９に連結されたケーブル装置１２を介して上記ドアロック装置１１のキャンセル部１１ａが操作され、以後、操作ハンドル１によるドアロック装置１１への操作が規制される。
【００２２】
図２、３に示すように、インサイドハンドル装置のドアパネル（図示せず）への固定はハンドルベース２をドアパネルに固定して行われ、ハンドルベース２には、固定に使用する止着子１３を挿通するための貫通孔１４が設けられる。
【００２３】
上記止着子１３の頭部を覆い隠すために、ハンドルベース２にはカバー体３が装着される。ハンドルベース２は、上述した操作ハンドル１とロックレバー９とを包囲する枠部７を有しており、カバー体３が装着状態において、操作ハンドル１とロックレバー９の回転基端を除く底壁面を形成する。
【００２４】
図３に示すように、ハンドルベース２には、カバー体３を係止するための被係止部５、および係止開口と、カバー体３を支承するための支承平面２ａと、操作ハンドル１のハンドル回転中心に直交する突条１５とが設けられる。
【００２５】
後述するように、突条１５はカバー体３の揺動中心とカバー体３の揺動スペース８とを提供するもので、上記支承平面２ａは、カバー体３の揺動動作に対する干渉部とならないために、突条１５を挟んで被係止部５が設けられる領域にのみ配置される。
【００２６】
図４に示すように、カバー体３は板状に形成され、操作ハンドル１に沿った一方の辺縁部には２個の係止用突部１６が、これに対向する辺縁部に１個の爪状の係止部４が設けられる。カバー体３のハンドルベース２への装着は、係止用突部１６をハンドルベース２の枠部７下端に開設された係止開口１７の上縁に係止させた状態で係止部４が形成される側の辺縁部を図５（ａ）において矢印ａで示すように押し込んで行われる。
【００２７】
押し込み操作に際し、ハンドルベース２の枠部７の内壁面は、カバー体３の周縁をガイドして係止部４を被係止部５に導き、被係止部５に導かれた係止部４は一旦弾性変形して被係止部５の周縁部をかわした後、被係止部５に対峙したときに原形に復帰し、係止状態に移行する。
【００２８】
係止部４の係止が完了した装着状態において、カバー体３は、図１に示すように、上述した止着子１３の頭部を覆い隠して外部への露出を防ぐ。
【００２９】
この状態からのインサイドハンドル装置の取り外しは、一旦カバー体３を取り外して行われ、取り外しを容易にするために、ハンドルベース２に上述した突条１５が設けられる。図５（ｂ）に示すように、突条１５は、カバー体３が装着された状態で、該カバー体３の裏面に当接する高さ寸法に形成されており、係止部４の係止が解除した際のカバー体３の揺動スペース８を提供する。
【００３０】
さらに、カバー体３の係止部４には、図５（ｂ）に示すように、カバー体３の押し込み操作時に被係止部５に当接して係止部４に内方（対向縁）に向かう反力を発生させる装着用斜面４ａが設けられるとともに、係止部４と被係止部５には、図５（ｂ）における反時計回りの揺動力を付加した際に係止部４に係止離脱方向の分力を発生させるための斜面部６が設けられる。
【００３１】
したがってこの実施の形態において、装着状態のカバー体３の係止用突部１６が配置される側の辺縁に押し込み操作力を付与すると、カバー体３には、突条１５との接触部を揺動中心とする反時計回りの揺動力が発生する。上述したように、この揺動力によって係止部４の斜面部６には、係止解除方向の分力が発生し、やがて、図５（ｃ）に示すように、係止部４は弾性的に撓んで被係止部５との係止が解除され、図５（ｄ）に示すように、カバー体３をハンドルベース２から離脱させることができる。
【００３２】
カバー体３装着解除のために要する押し込み操作力は、斜面部６の傾斜角度、係止部４の剛性、突条１５と押し込み操作側端縁までの間隔を考慮して適宜決定され、不用意な操作で簡単に係止部４の係止が解除されることがない程度の大きさに設定される。
【００３３】
また、図１、図３に示すように、カバー体３の離脱に伴う押し込み操作側端縁は、操作ハンドル１に覆われ、通常状態では外部に露出しない側に設定され、悪戯等によるカバー体３の離脱操作が可及的に防がれる。
【００３４】
なお、以上において、ハンドルベース２を操作ハンドル１の装着部位においてパネル体の外観面を提供するための内装面形成部材２０とし、ハンドルベース２をドアパネルに固定するための止着子１３の頭部を内装面形成部材２０に装着されるカバー体３により覆い隠したインサイドハンドル装置の固定構造が示されているが、ドアトリム２１が内装面形成部材２０である場合には、図６に示すように、ドアトリム２１にカバー体が装着されて、インサイドハンドル装置の固定構造が構成される。
【００３５】
すなわち、図６に示す固定構造において、ハンドルベース２はドアトリム２１により覆われており、操作ハンドル１の装着部位における意匠面がドアトリム２１により構成される。インサイドハンドル装置の固定は、ドアトリム２１とハンドルベース２とを止着子１３を使用してパネルに共締めして行われ、内装面形成部材２０としてのドアトリム２１に、被係止部５、係止開口１７、および突条１５等が形成され、カバー体３がドアトリム２１に連結される。
【００３６】
また、この固定構造においては、単一の止着子１３により、ドアトリム２１とハンドルベース２がパネルに止着されるが、別々の止着子により、ドアトリム２１とハンドルベース、ハンドルベース２とパネルとをそれぞれ止着することもできる。
【００３７】
なお、図６において、図１以下の実施の形態と実質的に同一の構成要素は図中に同一符号を付して説明を省略する。
【符号の説明】
【００３８】
１        操作ハンドル
２        ハンドルベース
３        カバー体
４        係止部
５        被係止部
６        斜面部
７        枠部
８        揺動スペース
２０      内装面形成部材
２１      ドアトリム
【図１】
0005727744.tif 000002
【図２】
0005727744.tif 000003
【図３】
0005727744.tif 000004
【図４】
0005727744.tif 000005
【図５】
0005727744.tif 000006
【図６】
0005727744.tif 000007